(57)【要約】【課題】例えば、液晶装置が画像を表示する際に発生するクロストークを低減する。【解決手段】第３層間絶縁膜４３は、データ線６ａ及び画素電極９ａ間に形成されており、データ線６ａ及び画素電極９ａが相互に重なる領域Ｒに延びる部分が他の部分に比べて厚くなるように形成されている。より具体的には、第３層間絶縁膜４３のうち領域Ｒに延びる部分として凸部４３ａが形成されている。このような凸部４３ａによれば、第３層間絶縁膜４３を一様な絶縁膜として形成する場合に比べて、画素電極９ａ及びデータ線６ａ間の距離を広げることができ、画素電極９ａ及びデータ線６ａの夫々を容量電極として発生する寄生容量を低減できる。【選択図】図５
2008129377.tif 000002
【特許請求の範囲】
【請求項１】
基板と、
前記基板上に形成されており、所定の信号が供給される導電膜と、
前記導電膜上において前記導電膜と部分的に重なるように形成されており、前記基板上の画素に形成された画素電極と、
前記導電膜及び前記画素電極間に形成されており、前記導電膜及び前記画素電極が相互に重なる領域に延びる部分が他の部分に比べて厚い絶縁膜と
を備えたことを特徴とする電気光学装置用基板。
【請求項２】
前記導電膜は、前記画素電極に画像信号を供給するデータ線であること
を特徴とする請求項１に記載の電気光学装置用基板。
【請求項３】
前記重なる領域に延びる部分は、第１絶縁膜と、前記第１絶縁膜上に形成され、且つ前記第１絶縁膜より誘電率が低い第２絶縁膜とが相互に積層されることによって形成されていること
を特徴とする請求項１又は２に記載の電気光学装置用基板。
【請求項４】
請求項１から３の何れか一項に記載の電気光学装置用基板を備えたこと
を特徴とする電気光学装置。
【請求項５】
請求項４に記載の電気光学装置を具備してなること
を特徴とする電子機器。
【発明の詳細な説明】
【技術分野】
【０００１】
本発明は、例えば、液晶プロジェクタに用いられるライトバルブ等の液晶装置に応用される電気光学装置用基板、そのような電気光学装置用基板を備えた電気光学装置、及び電子機器の技術分野に関する。
【背景技術】
【０００２】
この種の電気光学装置の一例である液晶装置では、複数の画素から構成される表示領域に縦横に配列された多数の走査線およびデータ線、並びにこれらの各交点に対応して多数の画素電極が基板上に設けられている。このような液晶装置は、例えばＴＦＴ（Thin Film Transistor）駆動によるアクティブマトリクス駆動方式を採用しており、走査線等の配線部に加えて、サンプルホールド回路、プリチャージ回路、走査線駆動回路、データ線駆動回路、検査回路等のＴＦＴを構成要素とする各種の周辺回路が基板上に設けられている。
このような液晶装置は、その動作時に、周辺回路を介して各画素部の画素電極に供給された画像信号に応じて液晶の配向を制御し、複数の画素部が配列されてなる表示領域に画像を表示する。
【０００３】
画素電極の下層側には、画素の開口領域（即ち、画素において実質的に光が透過する領域）を互いに隔てる非開口領域に、アルミニウム等の金属材料、ポリシリコン等の半導体材料のように基本的に光を透過しない導電材料を用いてデータ線、及び走査線等の配線部が形成される。これら配線部は、周辺回路部から供給された走査信号、及び画像信号等の各種信号を各画素部に中継する。
【０００４】
液晶装置では、データ線等の配線部及び画素電極等の導電部が相互に重なっていた場合、これら導電部間に寄生容量が発生し、液晶装置の表示性能を低下させてしまう問題点がある。より具体的には、例えば、上述した寄生容量によって、画素電極の電位に変動が生じ、画素電極と、当該画素電極に対向する対向電極との間で、画像信号に応じた液晶の配向制御が行なわれなくなる場合がある。
【０００５】
このような問題点を解決するための手段の一例として、特許文献１は、データ線及び画素電極間に導電材料からなるシールド層を設けることによって、画素電極及びデータ線間に生じる寄生容量を低減する技術を開示している。
【０００６】
【特許文献１】特開平１０−３９３３６号公報
【発明の開示】
【発明が解決しようとする課題】
【０００７】
しかしながら、特許文献１に開示された技術によれば、シールド層及びデータ線間に付加容量が発生してしまい、データ線を介して画素部に画像信号を書き込む書き込み時間に遅延が生じてしまう。このような書き込み時間の遅延によれば、所謂クロストーク等の表示不良を発生させてしまう。
【０００８】
他方、画素電極及びデータ線間には、通常、絶縁膜が形成されるため、当該絶縁膜の膜厚を厚くすることによって寄生容量を低減できるとも考えられるが、このような絶縁膜のうち画素電極及びデータ線が相互に重なる領域と異なる他の領域に延びる部分には、ＴＦＴアレイ基板上において上下方向に沿って各種配線部及び回路部を相互に電気的に接続するコンタクトホールが形成される。したがって、絶縁膜の膜厚を厚くすると、コンタクトホールの開口径に対する深さの比率が大きくなり、絶縁膜を精度良く除去して微細な開口径を有するコンタクトホールを形成することが困難となる製造プロセス上の問題点が生じる。
【０００９】
よって、本発明は上記問題点等に鑑みてなされたものであり、例えば、画素電極及びデータ線間に生じる寄生容量を低減できると共に、クロストーク等の表示不良を低減可能な電気光学装置用基板、及びそのような電気光学装置用基板を備えた電気光学装置、並びにプロジェクタ等の電子機器を提供することを課題とする。
【課題を解決するための手段】
【００１０】
本発明に係る電気光学装置用基板は上記課題を解決するために、基板と、前記基板上に形成されており、所定の信号が供給される導電膜と、前記導電膜上において前記導電膜と部分的に重なるように形成されており、前記基板上の画素に形成された画素電極と、前記導電膜及び前記画素電極間に形成されており、前記導電膜及び前記画素電極が相互に重なる領域に延びる部分が他の部分に比べて厚い絶縁膜とを備える。
【００１１】
本発明に係る電気光学装置用基板によれば、導電膜は、例えば、基板上に形成された回路部に電気的に接続されており、当該回路部から所定の信号を供給される。導電膜は、金属膜、或いは半導体膜等の導電材料によって構成されていればよい。画素電極は、例えばＩＴＯ等の透明導電材料を用いて構成されており、導電膜上において当該導電膜と部分的に重なっている。より具体的には、画素電極は、例えば画素において当該画素の非開口領域に形成された導電膜に重なるように画素の開口領域から非開口領域に延びている。
【００１２】
絶縁膜は、導電膜及び画素電極間に形成されている。このような絶縁膜は、当該絶縁膜の上層及び下層に形成される各種配線部及び回路部の作り込みに支障が生じないように部分的に平坦化されていてもよい。絶縁膜は、導電膜及び画素電極が相互に重なる領域に延びる部分が他の部分に比べて厚くなるように形成されている。したがって、導電膜及び画素電極が相互に重なる領域では、導電膜及び画素電極間に生じる寄生容量が低減される。即ち、他の部分と同様の膜厚で一様に絶縁膜を形成する場合に比べて、寄生容量の容量電極となる導電膜及び画素電極間の距離を大きくすることができ、距離が大きくなった分、寄生容量を低減することが可能になる。尚、絶縁膜は、一層でもよいし、部分的に複数の絶縁膜を積層してなる積層構造を有していてもよい。
【００１３】
加えて、絶縁膜の他の部分は、導電膜及び画素電極が相互に重なる領域に延びる部分に比べて薄いため、他の部分を精度良く掘り込むことができ、精度良く形成されたコンタクトホールを介して、基板上の上下方向に沿って配線部等を電気的に接続することが可能である。
【００１４】
よって、本発明に係る電気光学装置用基板によれば、画素電極及び導電膜間に生じる寄生容量に起因して生じるクロストーク等の表示不良を低減できる。加えて、コンタクトホール等の接続部を精度良く形成できることにより、電気光学装置用基板における各部を電気的に確実に接続できる。
【００１５】
本発明に係る電気光学装置用基板の一の態様では、前記導電膜は、前記画素電極に画像信号を供給するデータ線であってもよい。
【００１６】
本発明に係る電気光学装置用基板によれば、電気光学装置用基板を備えた電気光学装置の動作時にデータ線に供給される画像信号の電位と、画素電極の電位とが相互に干渉することによって生じる寄生容量を低減できる。加えて、画素電極及びデータ線間にシールド層を形成した場合に生じる画像信号を書き込む時間の遅延も低減することが可能である。
【００１７】
本発明に係る電気光学装置用基板の他の態様では、前記重なる領域に延びる部分は、第１絶縁膜と、前記第１絶縁膜上に形成され、且つ前記第１絶縁膜より誘電率が低い第２絶縁膜とが相互に積層されることによって形成されていてもよい。
【００１８】
この態様によれば、画素電極と、データ線等の導電膜との間に誘電率が一様な一枚の第１絶縁膜を形成する場合に比べて、画素電極及び導電膜間に発生する寄生容量を低減できる。第２絶縁膜は、寄生容量を低減するために、第１絶縁膜の上側或いは下側に形成され、且つデータ線等の導電膜及び画素電極が相互に重なる領域にのみに形成されていてもよいし、平面的に見て一定の範囲に形成されていてもよく、導電膜及び画素電極が相互に重なる領域に部分的に設けられていてもよいし、基板上に成膜された後、所定の形状にパターニングされていてもよい。
【００１９】
本発明に係る電気光学装置は上記課題を解決するために、上述した本発明に係る電気光学装置用基板を備えている。
【００２０】
本発明に係る電気光学装置によれば、本発明の電気光学装置用基板を備えているため、表示性能に優れた電気光学装置を提供することができる。したがって、本発明に係る電気光学装置は、高品質の表示を行うことができる。
【００２１】
本発明に係る電子機器は上記課題を解決するために、上述した本発明の電気光学装置を備えている。
【００２２】
本発明に係る電子機器によれば、上述した本発明に係る電気光学装置を具備してなるので、高品位の表示が可能な、投射型表示装置、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明に係る電子機器として、例えば電子ペーパなどの電気泳動装置等も実現することが可能である。
【００２３】
本発明のこのような作用及び他の利得は次に説明する実施形態から明らかにされる。
【発明を実施するための最良の形態】
【００２４】
以下、図１乃至図８を参照しながら本発明に係る電気光学装置用基板、電気光学装置、及び電子機器の各実施形態を説明する。以下の実施形態では、本発明の電気光学装置用基板を電気光学装置の一例である液晶装置に適用した場合を例に挙げる。
【００２５】
＜１：電気光学装置の全体構成＞
先ず、図１及び図２を参照しながら、本実施形態の電気光学装置を説明する。図１は、ＴＦＴアレイ基板をその上に形成された各構成要素と共に対向基板の側から見た電気光学装置の平面図であり、図２は、図１のＩＩ−ＩＩ´断面図である。本実施形態では、電気光学装置の一例として、駆動回路内蔵型のＴＦＴアクティブマトリクス駆動方式の液晶装置を例に挙げる。
【００２６】
図１及び図２において、液晶装置１では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、複数の画素部が設けられる画素領域たる画像表示領域１０ａの周囲に位置するシール領域に設けられたシール材５２により相互に接着されている。
【００２７】
シール材５２は、両基板を貼り合わせるための、例えば紫外線硬化樹脂、熱硬化樹脂等
からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（基板間ギャップ）を所定値とするためのグラスファイバ或いはガラスビーズ等のギャップ材が散布されている。即ち、本実施形態の電気光学装置は、プロジェクタのライトバルブ用として小型で拡大表示を行うのに適している。
【００２８】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。尚、画像表示領域１０ａの周辺に位置する周辺領域が存在する。言い換えれば、本実施形態においては特に、ＴＦＴアレイ基板１０の中心から見て、この額縁遮光膜５３より以遠が周辺領域として規定されている。
【００２９】
周辺領域のうち、シール材５２が配置されたシール領域の外側に位置する領域には、データ線駆動回路１０１及び外部回路接続端子１０２がＴＦＴアレイ基板１０の一辺に沿って設けられている。走査線駆動回路１０４は、この一辺に隣接する２辺に沿い、且つ、額縁遮光膜５３に覆われるようにして設けられている。更に、このように画像表示領域１０ａの両側に設けられた二つの走査線駆動回路１０４間をつなぐため、ＴＦＴアレイ基板１０の残る一辺に沿い、且つ、額縁遮光膜５３に覆われるようにして複数の配線１０５が設けられている。
【００３０】
対向基板２０の４つのコーナー部には、両基板間の上下導通端子として機能する上下導通材１０６が配置されている。他方、ＴＦＴアレイ基板１０にはこれらのコーナー部に対向する領域において上下導通端子が設けられている。これらにより、ＴＦＴアレイ基板１０と対向基板２０との間で電気的な導通をとることができる。対向電極２１は、後に図６に示すように固定電位ＬＣＣＯＭに電気的に接続されている。
【００３１】
図２において、ＴＦＴアレイ基板１０上には、画素スイッチング用のＴＦＴや走査線、データ線等の配線が形成された後の画素電極９ａ上に、配向膜が形成されている。他方、対向基板２０上には、対向電極２１の他、格子状又はストライプ状の遮光膜２３、更には最上層部分に配向膜が形成されている。液晶層５０は、例えば一種又は数種類のネマティック液晶を混合した液晶からなり、これら一対の配向膜間で、所定の配向状態をとる。
【００３２】
尚、図１及び図２に示したＴＦＴアレイ基板１０上には、これらのデータ線駆動回路１０１、走査線駆動回路１０４等の駆動回路に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００３３】
＜２：画素部における構成＞
次に、図３乃至図５を参照しながら、液晶装置１の画素部の構成を詳細に説明する。図３は、液晶装置１の画像表示領域を構成するマトリクス状に形成された複数の画素における各種素子、配線等の等価回路であり、図４は、データ線、走査線、画素電極等が形成されたＴＦＴアレイ基板の相隣接する複数の画素群の平面図である。図５は、図４のＶ−Ｖ´断面図である。尚、図５においては、各層・各部材を図面上で認識可能な程度の大きさとするため、該各層・各部材ごとに縮尺を異ならしめてある。尚、図５において、ＴＦＴアレイ基板１０から配向膜１６までが、本発明に係る「電気光学装置用基板」の一例を構成している。
【００３４】
図３において、液晶装置１の画像表示領域を構成するマトリクス状に形成された複数の画素の夫々には、画素電極９ａ及びＴＦＴ３０が形成されている。ＴＦＴ３０は、画素電極９ａに電気的に接続されており、液晶装置１の動作時に画素電極９ａをスイッチング制御する。画像信号が供給されるデータ線６ａは、ＴＦＴ３０のソースに電気的に接続されている。データ線６ａに書き込む画像信号Ｓ１、Ｓ２、・・・、Ｓｎは、この順に線順次に供給しても構わないし、相隣接する複数のデータ線６ａ同士に対して、グループ毎に供給するようにしてもよい。
【００３５】
ＴＦＴ３０のゲートに走査線３ａが電気的に接続されており、液晶装置１は、所定のタイミングで、走査線３ａにパルス的に走査信号Ｇ１、Ｇ２、・・・、Ｇｍを、この順に線順次で印加するように構成されている。画素電極９ａは、ＴＦＴ３０のドレインに電気的に接続されており、スイッチング素子であるＴＦＴ３０を一定期間だけそのスイッチを閉じることにより、データ線６ａから供給される画像信号Ｓ１、Ｓ２、・・・、Ｓｎが所定のタイミングで書き込まれる。画素電極９ａを介して電気光学物質の一例としての液晶に書き込まれた所定レベルの画像信号Ｓ１、Ｓ２、・・・、Ｓｎは、対向基板に形成された対向電極との間で一定期間保持される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として電気光学装置からは画像信号に応じたコントラストをもつ光が出射される。
【００３６】
ここで保持された画像信号がリークすることを防ぐために、画素電極９ａと対向電極との間に形成される液晶容量と並列に蓄積容量７０を付加されている。
【００３７】
次に、図４及び図５を参照して、画素部の具体的な構成を説明する。図４において、液晶装置１のＴＦＴアレイ基板１０上には、Ｘ方向及びＹ方向に対してマトリクス状に複数の透明な画素電極９ａ（点線部９ａ'により輪郭が示されている）が設けられており、画素電極９ａの縦横の境界に各々沿ってデータ線６ａ及び走査線３ａが設けられている。
【００３８】
半導体層１ａのうち図４中右上がりの斜線領域で示したチャネル領域１ａ'に対向するように走査線３ａが配置されている。このように、走査線３ａとデータ線６ａとの交差する個所の夫々には画素スイッチング用のＴＦＴ３０が設けられている。尚、本実施形態では、走査線３ａは、第１層間絶縁膜４１を貫通するコンタクトホール８８を介してゲート電極３ａ２に電気的に接続されている。
【００３９】
データ線６ａは、その上面が平坦化された第２層間絶縁膜４２を下地として形成された下地膜４２ａａ上に形成されており、コンタクトホール８１を介してＴＦＴ３０の高濃度ソース領域に接続されている。データ線６ａ及びコンタクトホール８１内部は、例えば、Ａｌ−Ｓｉ−Ｃｕ、Ａｌ−Ｃｕ等のＡｌ（アルミニウム）含有材料、又はＡｌ単体、若しくはＡｌ層とＴｉＮ層等との多層膜からなる。データ線６ａは、ＴＦＴ３０を遮光する機能を有している。
【００４０】
蓄積容量７０は、高濃度ドレイン領域１ｅ及び画素電極９ａに接続された画素電位側容量電極としての下部容量電極７１と、固定電位側容量電極としての上部容量電極３００の一部とが、誘電体膜７５を介して対向配置されることにより形成されている。
【００４１】
図４及び図５に示すように、上部容量電極３００は、例えば金属又は合金を含む上側遮光膜（内蔵遮光膜）としてＴＦＴ３０の上側に設けられている。上部容量電極３００は、固定電位側容量電極としても機能する。上部容量電極３００は、例えば、Ｔｉ（チタン）、Ｃｒ（クロム）、Ｗ（タングステン）、Ｔａ（タンタル）、Ｍｏ（モリブデン）、Ｐｄ（パラジウム）等の高融点金属のうちの少なくとも一つを含む、金属単体、合金、金属シリサイド、ポリシリサイド、これらを積層したもの等からなる。上部容量電極３００は、Ａｌ（アルミニウム）、Ａｇ（銀）等の他の金属を含んでもよい。上部容量電極３００は、例えば導電性のポリシリコン膜等からなる第１膜と高融点金属を含む金属シリサイド膜等からなる第２膜とが積層された多層構造を持っていてもよい。
【００４２】
下部容量電極７１は、例えば導電性のポリシリコン膜からなり画素電位側容量電極として機能する。下部容量電極７１は、画素電位側容量電極としての機能の他、上側遮光膜としての上部容量電極３００とＴＦＴ３０との間に配置される、光吸収層或いは上側遮光膜の他の例としての機能を持ち、更に、画素電極９ａとＴＦＴ３０の高濃度ドレイン領域１ｅとを中継接続する機能を持つ。但し、下部容量電極７１も、上部容量電極３００と同様に、金属又は合金を含む単一層膜若しくは多層膜から構成されていてもよい。
【００４３】
容量電極としての下部容量電極７１と上部容量電極３００との間に配置される誘電体膜７５は、例えばＨＴＯ（High Temperature Oxide）膜、ＬＴＯ（Low Temperature Oxide）膜等の酸化シリコン膜、あるいは窒化シリコン膜等から構成される。
【００４４】
上部容量電極３００は、画素電極９ａが配置された画像表示領域１０ａからその周囲に延設され、定電位源と電気的に接続されて、固定電位とされる。
【００４５】
ＴＦＴ３０の下側に下地絶縁膜１２を介して格子状に設けられた下側遮光膜１１ａは、ＴＦＴアレイ基板１０側から装置内に入射する戻り光からＴＦＴ３０のチャネル領域１ａ´及びその周辺を遮光する。下側遮光膜１１ａは、上部容量電極３００と同様に、例えば、Ｔｉ、Ｃｒ、Ｗ、Ｔａ、Ｍｏ、Ｐｄ等の高融点金属のうちの少なくとも一つを含む、金属単体、合金、金属シリサイド、ポリシリサイド、これらを積層したもの等からなる。
【００４６】
下地絶縁層１２は、下側遮光膜１１ａからＴＦＴ３０を層間絶縁する機能の他、ＴＦＴアレイ基板１０の全面に形成されることにより、ＴＦＴアレイ基板１０の表面の研磨時における荒れや、洗浄後に残る汚れ等で画素スイッチング用ＴＦＴ３０の特性の劣化を防止する機能を有する。画素電極９ａは、下部容量電極７１を中継することにより、コンタクトホール８３及び８５を介して半導体層１ａのうち高濃度ドレイン領域１ｅに電気的に接続されている。
【００４７】
図４及び図５に示すように、液晶装置１は、透明なＴＦＴアレイ基板１０と、これに対向配置される透明な対向基板２０とを備えている。ＴＦＴアレイ基板１０は、例えば石英基板、ガラス基板、シリコン基板からなり、対向基板２０は、例えばガラス基板や石英基板からなる。
【００４８】
ＴＦＴアレイ基板１０には、画素電極９ａが設けられており、その上側には、ラビング処理等の所定の配向処理が施された配向膜１６が設けられている。例えば、画素電極９ａはＩＴＯ（Indium Tin Oxide）膜などの透明導電性膜からなり、配向膜１６は、ポリイミド膜などの有機膜からなる。
【００４９】
対向基板２０には、その全面に渡って対向電極２１が設けられており、その下側には、ラビング処理等の所定の配向処理が施された配向膜２２が設けられている。対向電極２１は例えば、ＩＴＯ膜などの透明導電性膜からなる。配向膜２２は、ポリイミド膜などの有機膜からなる。
【００５０】
対向基板２０には、格子状又はストライプ状の遮光膜を設けるようにしてもよい。このような構成を採ることで、上部容量電極３００として設けられた上側遮光膜と併せ、ＴＦＴアレイ基板１０側からの入射光のチャネル領域１ａ´ないしその周辺への侵入を阻止するのをより確実に阻止することができる。
【００５１】
このように構成され、画素電極９ａと対向電極２１とが対面するように配置されたＴＦＴアレイ基板１０と対向基板２０との間には、液晶層５０が形成される。液晶層５０は、画素電極９ａからの電界が印加されていない状態で配向膜１６及び２２により所定の配向状態をとる。
【００５２】
図５において、画素スイッチング用ＴＦＴ３０は、ＬＤＤ（Lightly Doped Drain）構造を有しており、ゲート電極３ａ２、走査線３ａからの電界によりチャネルが形成される半導体層１ａのチャネル領域１ａ'、走査線３ａと半導体層１ａとを絶縁するゲート絶縁膜を含む絶縁膜２、低濃度ソース領域１ｂ及び低濃度ドレイン領域１ｃ、高濃度ソース領域１ｄ並びに高濃度ドレイン領域１ｅを備えている。低濃度ソース領域１ｂ、低濃度ドレイン領域１ｃ、高濃度ソース領域１ｄ及び高濃度ドレイン領域１ｅは、半導体層１ａの不純物領域を構成しており、チャネル領域１ａ´の両側にミラー対称に形成されている。
【００５３】
ゲート電極３ａ２は、ポリシリコン膜等の導電膜によって形成されており、低濃度ソース領域１ｂ及び低濃度ドレイン領域１ｃに重ならないように絶縁膜２を介してチャネル領域１ａ´上に設けられている。したがって、ＴＦＴ３０では、高濃度ソース領域１ｄ及び高濃度ドレイン領域１ｅと第１ゲート電極３ａ１とのオフセットが十分に確保されている。
【００５４】
尚、ゲート電極３ａ２の縁は、平面的に見て低濃度ソース領域１ｂ及び低濃度ドレイン領域１ｃとチャネル領域１ａ´との境界に重なっており、低濃度ソース領域１ｂ及び低濃度ドレイン領域１ｃと、第１ゲート電極３ａ１との間に生じる寄生容量が低減されている。これにより、ＴＦＴ３０トランジスタの高速動作が可能となり、液晶装置１の表示性能が高められている。
【００５５】
加えて、液晶装置１では、ゲート電極３ａ２上にＴＦＴ３０を覆うように形成された上部容量電極３００によって、ゲート電極３ａ２のみによって遮光する場合に比べて効果的に低濃度ソース領域１ｂ及び低濃度ドレイン領域１ｃを遮光できる。
【００５６】
このように、液晶装置１によれば、光リーク電流が低減されたＴＦＴ３０を用いて、フリッカ等の画像表示を行う際に発生する不具合を低減でき、高品位で画像を表示できる。加えて、ＴＦＴ３０は、ＬＤＤ構造を有しているため、ＴＦＴ３０の非動作時において低濃度ソース領域１ｂ及び低濃度ドレイン領域１ｃに流れるオフ電流が低減され、且つＴＦＴ３０の動作時に流れるオン電流の低下が抑制されている。よって、液晶装置１によれば、ＬＤＤ構造の利点及び光リーク電流が殆ど流れないことを利用して高品位で画像を表示できる。
【００５７】
走査線３ａ上には、高濃度ソース領域１ｄへ通じるコンタクトホール８１及び高濃度ドレイン領域１ｅへ通じるコンタクトホール８３が各々開孔された第１層間絶縁膜４１が形成されている。
【００５８】
第１層間絶縁膜４１上には下部容量電極７１及び上部容量電極３００が形成されており、これらの上には、コンタクトホール８１及び８５が各々開孔された第２層間絶縁膜４２が形成されている。
【００５９】
本実施形態における第２層間絶縁膜４２は、例えばＢＰＳＧ膜からなり、加熱による流動化状態を経ることによって上面が平坦化されている。即ち、その成膜時の上面には、下層側の蓄積容量７０やＴＦＴ３０、走査線３ａ、更には下地遮光膜１１ａの存在によって段差が生じているが、一旦流動化されることで、上面は段差による凹凸が均された状態となっている。
【００６０】
図５において、第２層間絶縁膜４２の上面は平坦に形成されているが、第２層間絶縁膜４２の上面は完全な平坦面ではなく、走査線３ａ等に起因する段差部が残されていてもよい。このような段差部によれば、駆動時に発生する画素間の横電界を低減することも可能である。
【００６１】
更に、データ線６ａの上から第２層間絶縁膜４２の全面を覆うように、コンタクトホール８５が形成された、本発明に係る「絶縁膜」の一例である第３層間絶縁膜４３が、例えばＢＰＳＧ膜により形成されている。画素電極９ａ及び配向膜１６は、第３層間絶縁膜４３の上面に設けられている。
【００６２】
第３層間絶縁膜４３は、データ線６ａ及び画素電極９ａ間に形成されており、データ線６ａ及び画素電極９ａが相互に重なる領域Ｒに延びる部分が他の部分に比べて厚くなるように形成されている。より具体的には、第３層間絶縁膜４３のうち領域Ｒに延びる部分として凸部４３ａが形成されている。このような凸部４３ａによれば、第３層間絶縁膜４３を一様な絶縁膜として形成する場合に比べて、画素電極９ａ及びデータ線６ａ間の距離を広げることができ、図６に示すように、画素電極９ａ及びデータ線６ａの夫々を容量電極として発生する寄生容量Ｃを低減できる。
【００６３】
加えて、第３層間絶縁膜４３の領域Ｒに重ならない部分には、ＴＦＴ３０の高濃度ドレイン領域１ｅ及び画素電極９ａを電気的に接続するためのコンタクトホール８５が形成されている。第３層間絶縁膜４３は、領域Ｒにおいて部分的に膜厚が厚くなっているのみであるため、他の部分の膜厚は領域Ｒにおける膜厚より薄くなっている。したがって、第３層間絶縁膜４３を深く掘り込んでコンタクトホール８５を形成しても、画素電極９ａ及び下部容量電極７１を電気的に接続するコンタクトホール８５を小さい開口径で形成できる。
したがって精度良く形成されたコンタクトホール８５を介して、ＴＦＴアレイ基板１０上の上下方向で確実に電気的接続をとることが可能である。
【００６４】
よって、本実施形態に係る液晶装置によれば、液晶装置の動作時にデータ線６ａに供給される画像信号の電位と、画素電極９ａの電位とが相互に干渉することによって生じる寄生容量を低減できる。加えて、画素電極９ａ及びデータ線６ａ間にシールド層を形成した場合に生じる画像信号を書き込む時間の遅延も低減することが可能である。液晶装置１の動作時に生じるクロストーク等の表示不良を低減できる。加えて、コンタクトホール等の接続部を精度良く形成できることにより、ＴＦＴアレイ基板１０上に形成された各部を電気的に確実に接続できる。
【００６５】
尚、本実施形態では、画素電極９ａと重なるデータ線６ａを本発明に係る「導電膜」の一例として説明したが、本発明に係る「導電膜」は、データ線６ａに限定されるものではなく、画素の開口領域を互いに隔てる非開口領域に形成された各種配線部、或いは素子部のうち画素電極９ａと平面的に重なることによって、寄生容量を発生させるものであれば如何なるものでもよい。このような導電膜及び画素電極間に生じる寄生容量を低減することによって、電気光学装置全体で表示品位を高めることができる。
【００６６】
＜３：変形例＞
次に、図７を参照しながら、本実施形態に係る電気光学装置用基板の変形例を説明する。図７は、本例に係る電気光学装置用基板の部分断面図である。尚、図７では、上述した液晶装置１と共通する部分に共通の参照符号を付し、詳細な説明を省略する。
【００６７】
図７において、第３層間絶縁膜４３は、領域Ｒに延びる部分は、第１絶縁膜４３ｂ及び第２絶縁膜４３ｃを有している。第１絶縁膜４３ｂは、第２層間絶縁膜４２及びデータ線６ａを覆うようにＴＦＴアレイ基板１０上の全体に延在されている。第２絶縁膜４３ｃは、領域Ｒにおいて、第１絶縁膜４３ｂ上に凸状に形成されており、第１絶縁膜より誘電率が低い。
【００６８】
第２絶縁膜４３ｃによれば、画素電極９ａ及びデータ線６ａ間に誘電率が一様な一枚の第１絶縁膜４３ｂを形成する場合に比べて、画素電極９ａ及びデータ線６ａ間に発生する寄生容量をより一層低減できる。第２絶縁膜４３ｃは、寄生容量を低減するために、第１絶縁膜４３ｂの上側或いは下側に形成され、且つデータ線６ａ及び画素電極９ａが相互に重なる領域Ｒにのみに形成されていてもよい。図７に示すようにデータ線６ａ及び画素電極９ａが相互に重なる領域Ｒに部分的に設けられていてもよいし、第１絶縁膜４３ｂ上の一定の範囲に形成された後、領域Ｒに残存するように所定の形状にパターニングされていてもよい。
【００６９】
（電子機器）
次に、上述した液晶装置を各種の電子機器に適用される場合について説明する。
【００７０】
先ず、この液晶装置をライトバルブとして用いたプロジェクタについて説明する。図８は、プロジェクタの構成例を示す平面図である。図８に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００７１】
液晶パネル１１１０Ｒ、１１１０Ｂおよび１１１０Ｇの構成は、上述した液晶装置と同等であり、外部回路（図示省略）から外部接続用端子１０２に供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００７２】
ここで、各液晶パネル１１１０Ｒ、１１１０Ｂおよび１１１０Ｇによる表示像について着目すると、液晶パネル１１１０Ｇによる表示像は、液晶パネル１１１０Ｒ、１１１０Ｂによる表示像に対して左右反転することが必要となる。
【００７３】
尚、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【図面の簡単な説明】
【００７４】
【図１】本実施形態に係る電気光学装置を対向基板の側から見た平面図である。
【図２】図１のＩＩ−ＩＩ´断面図である。
【図３】本実施形態に係る電気光学装置の画像表示領域を構成するマトリクス状に形成された複数の画素における各種素子、配線等の等価回路である。
【図４】本実施形態に係る電気光学装置におけるデータ線、走査線、画素電極等が形成されたＴＦＴアレイ基板の相隣接する複数の画素群の平面図である。
【図５】図４のＶ−Ｖ´断面図である。
【図６】寄生容量Ｃを含む画素部の回路構成を示した回路図である。
【図７】本実施形態に係る電気光学装置用基板の変形例の部分断面図である。
【図８】本実施形態に係る電子機器の一例であるプロジェクタの平面図である。
【符号の説明】
【００７５】
１・・・液晶装置、１０・・・ＴＦＴアレイ基板、９ａ・・・画素電極、６ａ・・・データ線、４３・・・第３層間絶縁膜、４３ａ・・・凸部、４３ｂ・・・第１絶縁膜、４３ｃ・・・第２絶縁膜
【図１】
2008129377.tif 000003
【図２】
2008129377.tif 000004
【図３】
2008129377.tif 000005
【図４】
2008129377.tif 000006
【図５】
2008129377.tif 000007
【図６】
2008129377.tif 000008
【図７】
2008129377.tif 000009
【図８】
2008129377.tif 000010